(57)【要約】【課題】【解決手段】  本発明は、平坦な上面（１０）と凸状の底面（２０、２１）とを備える本体（０２）を有し、底面（２０）が床及び／又は水平面と接触している、バランス、瞑想、及び／又は、ヨガのエクササイズを行なうためのトレーニング装置（０１）であって、本体（０２）が、一体部品を成して形成されるとともに、凸状の底面（２０、２１）に起因して幾つかの空間軸の周りで移動可能である、トレーニング装置（０１）に関する。【選択図】  図１
2020500679.tif 000002
【特許請求の範囲】
【請求項１】
平坦な上面（１０）と凸状の底面（２０、２１）とを備える本体（０２）を有し、前記底面（２０）が床及び／又は水平面と接触している、バランス、瞑想、及び／又は、ヨガのエクササイズを行なうためのトレーニング装置（０１）であって、
前記本体（０２）は、一体部品を成して形成されるとともに、前記凸状の底面（２０、２１）に起因して、複数の空間軸の周りで移動可能であることを特徴とするトレーニング装置（０１）。
【請求項２】
前記上面（１０）及び／又は前記底面（２０）は、滑らない、滑り止め、及び／又は、滑り抵抗力があるように形成されることを特徴とする請求項１に記載のトレーニング装置（０１）。
【請求項３】
前記上面（１０）及び／又は前記底面（２０）は、抗ウイルス性、抗菌性、及び／又は、抗真菌性となるように形成されることを特徴とする請求項１又は２に記載のトレーニング装置（０１）。
【請求項４】
前記底面（２０）の凸状形態（２１）は、本質的に前記本体（０２）の全長（Ｌ）にわたって延びるとともに、本質的に前記本体（０２）の全幅（Ｂ）にわたって延びることを特徴とする請求項１から３のいずれか一項に記載のトレーニング装置（０１）。
【請求項５】
前記凸状形態（２１）は、前記本体（０２）の縦方向で少なくとも１．００ｍの半径及び／又は前記本体（０２）の横方向で少なくとも０．１０ｍの半径を有することを特徴とする請求項１から４のいずれか一項に記載のトレーニング装置（０１）。
【請求項６】
前記本体（０２）が閉じられることを特徴とする請求項１から５のいずれか一項に記載のトレーニング装置（０１）。
【請求項７】
前記本体は、木材、ゴム、金属、プラスチック、特に、ポリマー、複合材料及び／又は発泡体、及び／又は、これらの混合物から形成されることを特徴とする請求項１から６のいずれか一項に記載のトレーニング装置（０１）。
【請求項８】
前記本体（０２）が中空であることを特徴とする請求項１から７のいずれか一項に記載のトレーニング装置（０１）。
【請求項９】
前記本体（０２）が長尺であり、細く、及び／又は、平坦であることを特徴とする請求項１から８のいずれか一項に記載のトレーニング装置（０１）。
【請求項１０】
前記本体（０２）は、長さが少なくとも１．００ｍ〜２．００ｍ、幅が少なくとも０．３０ｍ〜０．８０ｍ、及び／又は、高さが少なくとも０．０３ｍ〜０．１２ｍであることを特徴とする請求項９に記載のトレーニング装置（０１）。
【発明の詳細な説明】
【技術分野】
【０００１】
本発明は、請求項１に係るバランス、瞑想、及び／又は、ヨガのエクササイズを行なうためのトレーニング装置に関する。
【背景技術】
【０００２】
スポーツ運動及び／又は身体運動を行なってユーザの筋肉組織、血行、及び／又は、運動性を進展させる、向上させる、及び／又は、増強させることは、着実に徐々に普及している。したがって、そのようなエクササイズを行なうための複数の異なるトレーニング装置が最新技術から知られていることは驚くべきことではない。
【０００３】
最新技術から知られているトレーニング装置は、エクササイズを行なうためにユーザがその上に位置されるベースプレートと、ベースプレートの下部に配置される凸状の支持体とを備える複数部品形態によって特徴付けられる。トレーニング装置は、支持体によって床及び／又は水平面と接触している。更に、支持体は、ユーザがエクササイズを行なっている間にトレーニング装置全体が一方向に本質的に片寄り、それにより、ユーザの筋肉組織、血行、及び／又は、運動性を進展させる、向上させる、及び／又は、増強させることができるように設計される。片寄りのタイプは、トレーニング装置のベースプレートの下部の支持体の形状及び／又は位置によって予め決定される。これに関しては、例えば、米国特許明細書第８，７３４，３０８号に係るヨガエクササイズボードについて言及されるべきである。しかしながら、そのようなトレーニング装置は、１つの空間軸の周りでしか片寄ることができないという不都合を有する。
【０００４】
更に、２部品形態を成すトレーニング装置が最新技術から知られており、前記トレーニング装置は、ベースプレートと、該ベースプレートの下部に配置される凸状の支持体とを備え、ユーザがエクササイズを行なっている間に幾つかの空間軸の周りでトレーニング装置が片寄ることができるようにする。しかしながら、そのようなトレーニング装置は、それらのベースプレートの形状及び／又はサイズに起因して、それらが瞑想及び／又はヨガのエクササイズに適していないという不都合を有する。これは、特に、これらのエクササイズが対応する寸法のベースプレートを必要とするからである。更に、そのようなトレーニング装置の片寄りの角度は、多くの場合、非常に急であり又は非常に平坦であり、そのため、トレーニング装置が瞑想及び／又はヨガのエクササイズに適さない。
【０００５】
更に、スポーツ運動及び／又は身体運動を行なうべく、トレーニング装置の本質的に自由な動きのためにベースプレートの底面上に幾つかの支持体を配置することが最新技術から知られている。トレーニング装置のそのような実施形態も不都合であることが分かってきた。これは、バランス、瞑想、及び／又は、ヨガのエクササイズを行なうために必要な幾つかの空間軸の周りでのトレーニングボードの片寄りが平坦すぎる或いは急激すぎるからである。
【０００６】
したがって、筋肉組織、運動性、血行及び／又は運動協調の確かな目指すべき進展、向上、及び／又は、増強のためのトレーニング装置の大きな需要があり、所望の目標は、前記トレーニング装置によって達することができると同時に、最大のトレーニング効果を得ることができる。更に、トレーニング装置の持ち運びが容易であり、トレーニング装置の設置が容易であり、及び／又は、トレーニング装置のメンテナンスが容易であることが望ましい。加えて、トレーニング装置は、頑丈な形態と、全ての考えられる位置で、エクササイズ、特にバランス、瞑想、及び／又は、ヨガのエクササイズを行なうことができるようにするサイズとを有するべきである。また、トレーニング装置は、製造が安価で、長持ちするとともに、使用が容易でなければならない。
【発明の概要】
【０００７】
したがって、本発明の目的は、前述の困難を克服するべく、特に、ユーザの側の使い勝手を向上させるとともに、得られるべきトレーニング効果を向上させるべく、バランス、瞑想、及び／又は、ヨガのエクササイズを行なうためのトレーニング装置を提供することである。
【０００８】
この目的は、独立請求項１の教示内容に係るバランス、瞑想、及び／又は、ヨガのエクササイズを行なうためのトレーニング装置によって驚くほど簡単であるが効果な方法で達成される。
【０００９】
本発明によれば、バランス、瞑想、及び／又は、ヨガのエクササイズを行なうためのトレーニング装置が提案され、前記トレーニング装置は、平坦な上面と凸状の底面とを備える本体を有する。底面は床及び／又は水平面と接触している。トレーニング装置は、本体が、一体部品を成して形成され得るとともに、凸状の底面に起因して幾つかの空間軸の周りで移動可能であることを特徴とする。
【００１０】
本発明に係るトレーニング装置は、バランス、瞑想、及び／又は、ヨガのエクササイズを行なうために、ユーザが、例えば上面の上で立つ、横たわる、ひざまずく、座る、及び／又は、自身を支えることによって、本体の平坦な上面の上に部分的に又は完全に位置されるという基本的な考えに基づく。ユーザがエクササイズを能動的に行なっている間、本体の凸状の底面により、トレーニング装置は、幾つかの空間軸の周りで移動し、その移動は、筋肉組織、筋肉組織の反応性、筋収縮の速度及び／又は強度、関節、血行、運動性及び／又は運動協調性が最適に高められる、向上される、及び／又は、増強されるようになっている。これは、ユーザがトレーニング装置の動きに対して抗力を及ぼしているという事実に起因する。同時に、トレーニング装置は、ユーザの保持位置及び／又は休止位置を必要とするバランス、瞑想、及び／又は、ヨガのエクササイズを受動的に行なうのに適している。これは、トレーニング装置が凸状の底面の形態によってエクササイズを行ないながらトレーニング装置を休止位置に保つことができるようにするという事実に起因する。
【００１１】
「トレーニング装置」という用語は、身体的なエクササイズを行なう及び／又はトレーニングするための装置及び／又は補助器具に関する。本発明によれば、トレーニング装置は、エクササイズを行なうための平坦な上面をもつ本体を有し、ユーザが前記上面の上に位置されるようになっている。例えば、ユーザがエクササイズを行なっている間に上面が立位面、横たわり面、膝立ち面、座面、及び／又は、自身を支える面を構成するように、ユーザが上面の上で立つ、横たわる、ひざまずく、座る、及び／又は、自身を支えることが考えられる。
【００１２】
更に、本発明との関連で、本体が凸状の底面を有し、底面が床及び／又は水平面と接触していることが不可欠であること分かってきた。底面の凸状形態は、上面の上に位置されるユーザがトレーニング装置を使用するときにトレーニング装置の不安定性をもたらす任意の形状を有し得る。このことは、ユーザがエクササイズを行なっているときに本体の凸状の底面がトレーニング装置の移動及び／又は傾動を全ての方向で可能にすることを意味する。好ましくは、トレーニング装置は、幾つかの空間軸の周りで自由に移動できる。より一層好ましくは、可動性は、トレーニング装置の傾動、転動、及び／又は、揺動である。
【００１３】
本発明との関連で、幾つかの空間軸の周りでのトレーニング装置の動きは、ユーザが保持位置及び／又は休止位置でエクササイズを受動的に行なうことができないようにするほど強くないことが不可欠であることが分かってきた。同時に、幾つかの空間軸の周りでのトレーニング装置の動きは、最大のトレーニング効果が達成されるように弱すぎないようにすべきである。このことは当業者に知られている。好ましくは、凸状形態は、それがユーザの筋肉組織、筋肉組織の反応性、筋収縮の速度及び／又は強度、関節、血行、運動性及び／又は運動協調性を最適に進展させる、向上させる、及び／又は、増強させることを可能にするように実現される。更に、凸状形態は、それによってユーザがエクササイズを行なっている間にユーザがトレーニング装置を休止位置に保つことができるように実現されることが好ましい。ここで、「休止位置」とは、トレーニング装置が片寄っていること又は大きく片寄っていることをユーザが気づかない状態の位置である。
【００１４】
本発明の文脈における「エクササイズ」という用語は、ユーザのスポーツ運動及び／又は身体運動、例えば、バランス、瞑想、運動協調、リラクゼーション、体操、リハビリテーション、フィットネス及び／又はヨガのエクササイズなどに関し、これらにより、筋肉組織、筋肉組織の反応性、筋収縮の速度及び／又は強度、関節、血行、運動性及び／又は運動協調性などの複数の身体特性を進展させ、向上させ、及び／又は増強させることができる。これに関連して、エクササイズを行なうためのトレーニング装置がユーザ自身によって又は医師、療法士、及び／又は、トレーナーなどの補助者と共に使用されることが考えられる。補助者の助けにより、トレーニング装置を例えば治療目的及び／又はフィットネス目的のために使用することができ、その場合には、ユーザの処置、治療、及び／又は、フィットネスの方法をサポートするためにエクササイズを行なうことができる。そのようなエクササイズは、好ましくは、能動的に及び／又は受動的に実行され得る。「能動的動作」は、例えば、ユーザが自分の身体を動かしているエクササイズに関し、また、「受動的動作」は、ユーザが保持位置及び／又は休止位置にあるエクササイズに関する。このことは当業者に知られている。そのようなエクササイズは、全ての考えられる位置でユーザにより行なわれ得る全体観的なスポーツ運動及び／又は身体運動であることによって特徴付けられる。例えば、ユーザのそのような位置は、例えば片手又は両手で及び／又は片足又は両足で立つことによって、例えばうつぶせの位置、横を向いた位置、及び／又は、あおむけになった位置で横たわることによって、ひざまずくことによって、座ることによって、自身を支えることによって、例えば腕立て伏せをすることによって、及び／又は、これらの混合によって実現され得る。
【００１５】
筋肉組織、運動性、血行及び／又は運動協調の確かな目指すべき進展、向上、及び／又は、増強に関して最大のトレーニング効果及び所望の目標を得るためには、それに対応してトレーニング装置を寸法付けることが不可欠であることが分かってきた。そのことは、全ての考えられる位置で、それが立っている、横たわっている、ひざまずいている、座っている、及び／又は、支持位置にある、及び／又は、これらの混合を成しているかにかかわらず、ユーザが全体観的なスポーツ運動及び／又は身体運動を行なうことができるようにするための対応する長さ、幅、及び／又は、高さをトレーニング装置が有することを意味する。したがって、トレーニング装置は、全体観的なエクササイズ及び／又は個々のエクササイズを実行できるようにする。
【００１６】
本発明との関連では、人間及び／又は動物がユーザとして考えられ、その場合、ユーザの身長、年齢、体重、及び／又は、トレーニング条件に関して制限はない。
【００１７】
更に、トレーニング装置の本体が一体部品を成して形成されることが不可欠であることが分かってきた。これは、トレーニング装置がユーザの身長、年齢、体重、及び／又は、トレーニング条件にかかわらず全てのユーザに適しているようにトレーニング装置が頑丈であるという利点を有する。また、一体部品を成して形成されるトレーニング装置は、持ち運びが容易であるとともに、設置及び／又は更なる準備を要することなくそのまま使用され得る。結果として、かなりの時間が節約される。したがって、本発明に係るトレーニング装置は、好適には、運動性、血行、及び／又は、運動協調性を効果的に且つ持続的に向上させるため並びに筋肉組織及び／又は関節を進展させる、向上させる、及び／又は、増強させるための信頼できる、設置が容易な、頑丈な手段をもたらす。
【００１８】
個別に又は互いと組み合わせて実現され得る本発明の有利な更なる進展が従属請求項に記載される。
【００１９】
本発明の更なる進展では、上面及び／又は底面が、例えば、対応する材料の選択に起因して及び／又はコーティングにより、滑らない、滑り止め、及び／又は、滑り抵抗力があるように形成されることが考えられる。この実施形態は、ユーザの滑り落ち及び／又はずれ及び／又は床上及び／又は水平面上での装置のずれが確実に防止されるため、トレーニング装置の使用中に高レベルの安全性をもたらす。更に、本発明に係るトレーニング装置を容易にそのまま使用できるように、滑り止めマットなどの付加的な安全手段が必要とされない。
【００２０】
本発明の更なる他の進展では、上面及び／又は底面が、例えば、対応する材料の選択に起因して及び／又はコーティングにより、抗ウイルス性、抗菌性、及び／又は、抗真菌性となるように形成されることが考えられる。したがって、トレーニング装置を例えば異なるユーザが躊躇なく使用できるように、トレーニング装置が追加費用を伴うことなく衛生的要件及び／又は規則を満たすようにされる。
【００２１】
更に、底面の凸状形態が、本質的に本体の全長にわたって延びる、及び／又は、本質的に本体の全幅にわたって延びることが考えられる。この文脈において、「本質的に」という用語は、可能であれば、ほぼ完全に又は完全に底面の全長及び／又は全幅にわたることを意味する。この実施形態は、このようにすると、幾つかの空間軸周りでのトレーニング装置の動き、特に、傾動、転動、及び／又は、揺動を向上させるため、特に有利である。この動きの向上は、トレーニング効果の促進をもたらす。
【００２２】
更なる他の実施形態では、凸状形態が、本体の縦方向で少なくとも１．００ｍの半径及び／又は本体の横方向で少なくとも０．１０ｍの半径を有することが考えられる。好ましくは、本体の縦方向の半径は、少なくとも１．００ｍ、少なくとも１．５０ｍ、少なくとも２．００ｍ、少なくとも２．５０ｍ、少なくとも３．００ｍ、少なくとも３．５０ｍ、少なくとも４．００ｍ、少なくとも４．５０ｍ、少なくとも５．００ｍ、少なくとも５．５０ｍ、少なくとも６．００ｍ、少なくとも６．５０ｍ、少なくとも７．００ｍ、少なくとも７．５０ｍ、少なくとも８．００ｍ、少なくとも８．５０ｍ、少なくとも９．００ｍ、少なくとも９．５０ｍ、少なくとも１０．００ｍ、少なくとも１０．５０ｍ、少なくとも１１．００ｍ、少なくとも１１．５０ｍ、少なくとも１２．００ｍ、少なくとも１２．５０ｍ、少なくとも１３．００ｍ、少なくとも１３．５０ｍ、少なくとも１４．００ｍ、少なくとも１４．５０ｍ、少なくとも１５．００ｍ、少なくとも１５．５０ｍ、少なくとも１６．００ｍ、少なくとも１６．５０ｍ、少なくとも１７．００ｍ、少なくとも１７．５０ｍ、少なくとも１８．００ｍ、少なくとも１８．５０ｍ、少なくとも１９．００ｍ、少なくとも１９．５０ｍ、少なくとも２０．００ｍ、或いはそれ以上である。好ましくは、本体の横方向の半径は、少なくとも０．１０ｍ、少なくとも０．１５ｍ、少なくとも０．２０ｍ、少なくとも０．２５ｍ、少なくとも０．３０ｍ、少なくとも０．３５ｍ、少なくとも０．４０ｍ、少なくとも０．４５ｍ、少なくとも０．５０ｍ、少なくとも０．５５ｍ、少なくとも０．６０ｍ、少なくとも０．６５ｍ、少なくとも０．７０ｍ、少なくとも０．７５ｍ、少なくとも０．８０ｍ、少なくとも０．８５ｍ、少なくとも０．９０ｍ、少なくとも０．９５ｍ、少なくとも１．００ｍ、少なくとも１．１０ｍ、少なくとも１．２０ｍ、少なくとも１．３０ｍ、少なくとも１．４０ｍ、少なくとも１．５０ｍ、少なくとも１．６０ｍ、少なくとも１．７０ｍ、少なくとも１．８０ｍ、少なくとも１．９０ｍ、少なくとも２．００ｍ、少なくとも２．１０ｍ、少なくとも２．２０ｍ、少なくとも２．３０ｍ、少なくとも２．４０ｍ、少なくとも２．５０ｍ、少なくとも２．６０ｍ、少なくとも２．７０ｍ、少なくとも２．８０ｍ、少なくとも２．９０ｍ、少なくとも３．００ｍ、少なくとも３．１０ｍ、少なくとも３．２０ｍ、少なくとも３．３０ｍ、少なくとも３．４０ｍ、少なくとも３．５０ｍ、少なくとも３．６０ｍ、少なくとも３．７０ｍ、少なくとも３．８０ｍ、少なくとも３．９０ｍ、少なくとも４．００ｍ、或いはそれ以上である。この実施形態により、可能な限り最高のトレーニング効果を得ることができる。
【００２３】
好適には、本体が閉じられ、それにより、液体の流入を防止することが考えられる。
【００２４】
更なる他の進展では、本体が、木材、ゴム、特に硬質ゴム、金属、プラスチック、特に、ポリマー、複合材料及び／又は発泡体、及び／又は、これらの混合物から形成されることが考えられる。このようにすると、トレーニング装置をユーザの異なるニーズに及び／又は意図される使用位置に最適に適合させることができる。
【００２５】
別の実施形態では、本体が中空であり、それにより、トレーニング装置がその頑丈さを維持しつつより低い重量を有することを達成することが考えられる。
【００２６】
本発明の更に他の進展では、本体が長尺であり、細く、及び／又は、平坦であることが考えられる。この実施形態は、トレーニング装置の持ち運びが容易である、及び／又は、使用しない場合のトレーニング装置の保管が容易であるという利点を有する。
【００２７】
本発明の別の更なる進展では、本体の長さが少なくとも１．００ｍ〜２．００ｍであり、本体の幅が少なくとも０．３０ｍ〜０．８０ｍであり、及び／又は、本体の高さが少なくとも０．０３ｍ〜０．１２ｍであることが考えられる。好ましくは、本体は、少なくとも１．００ｍ、少なくとも１．０５ｍ、少なくとも１．１０ｍ、少なくとも１．１５ｍ、少なくとも１．２０ｍ、少なくとも１．２５ｍ、少なくとも１．３０ｍ、少なくとも１．３５ｍ、少なくとも１．４０ｍ、少なくとも１．４５ｍ、少なくとも１．５０ｍ、少なくとも１．５５ｍ、少なくとも１．６０ｍ、少なくとも１．６５ｍ、少なくとも１．７０ｍ、少なくとも１．７５ｍ、少なくとも１．８０ｍ、少なくとも１．８５ｍ、少なくとも１．９０ｍ、少なくとも１．９５ｍ、又は、２．００ｍの長さを有する。更に、本体は、好ましくは、少なくとも０．３０ｍ、少なくとも０．３５ｍ、少なくとも０．４０ｍ、少なくとも０．４５ｍ、少なくとも０．５０ｍ、少なくとも０．５５ｍ、少なくとも０．６０ｍ、少なくとも０．６５ｍ、少なくとも０．７０ｍ、少なくとも０．７５ｍ、又は、０．８０ｍの幅を有する。加えて、本体は、好ましくは、少なくとも０．０３０ｍ、少なくとも０．０３５ｍ、少なくとも０．０４０ｍ、少なくとも０．０４５ｍ、少なくとも０．０５０ｍ、少なくとも０．０５５ｍ、少なくとも０．０６０ｍ、少なくとも０．０６５ｍ、少なくとも０．０７０ｍ、少なくとも０．０７５ｍ、少なくとも０．０８０ｍ、少なくとも０．０８５ｍ、少なくとも０．０９０ｍ、少なくとも０．０９５ｍ、少なくとも０．１００ｍ、少なくとも０．１０５ｍ、少なくとも０．１１０ｍ、少なくとも０．１１５ｍ、又は、０．１２０ｍの高さを有する。
【００２８】
別段に規定されなければ、この明細書本文において以下に記載される全ての態様に関して前述の用語の定義及び実施が有効であることが想定される。
【００２９】
従属請求項に関連する好ましい典型的な実施形態の後続の説明は、本発明の更なる細部、特徴、及び、利点を与える。それぞれの特徴は、個別に又は互いと組み合わされる幾つかの特徴として実現され得る。本発明は典型的な実施形態に限定されない。典型的な実施形態は図に概略的に示される。個々の図中の同一の参照数字は、同一の又は機能的に同一の又はそれらの機能に関して互いに対応する要素を示す。
【００３０】
具体的に、図は以下を示す。
【図面の簡単な説明】
【００３１】
【図１】本発明に係るトレーニング装置の平面図を示す。
【図２】本発明に係るトレーニング装置の縦断面を示す。
【図３】完全形（図３Ａ）を成す及び中空形（図３Ｂ）としての本発明に係るトレーニング装置の断面を示す。
【図４】本発明に係るトレーニング装置の凸状の底面の斜視図を示す。
【図５】中空形としての本発明に係るトレーニング装置の斜視図を示す。
【発明を実施するための形態】
【００３２】
図１〜図５は、バランス、瞑想、及び／又は、ヨガのエクササイズ、特に全体観的エクササイズを行なうのに適した本発明に係るトレーニング装置０１を示す。ここで、トレーニング装置０１は、平坦な上面１０と凸状の底面２０、２１とを備える本体０２を有する。最良の想定し得る態様でエクササイズを行なうことができるように、トレーニング装置０１は、１．８０ｍの長さＬ、０．４５ｍの幅Ｂ、及び、０．０７ｍの高さＨを有する。
【００３３】
図２、図３Ａ、図３Ｂ、及び、図４において明確に分かるように、底面２０の凸状形態２１は、本質的に本体０２の全長Ｌにわたって延びるとともに、本質的に本体０２の全幅Ｂにわたって延びる。この実施形態により、血行、運動性及び／又は運動協調性、並びに、筋収縮の筋肉組織、速さ及び／又は強さ、ユーザの筋肉組織及び／又は関節の反応性を進展させる、向上させる、及び／又は、増強するのに可能な限り最高のトレーニング効果を得ることが有利に可能である。
【００３４】
本発明に係るトレーニング装置０１は、木材、ゴム、金属、プラスチック、及び／又は、その混合物などの任意の所望の材料から形成され得る。良好な持ち運び能力を実現するために、トレーニング装置０１の本体０２は、選択される材料に応じて、中実体（図３Ａ）として又は中空体（図３Ｂ及び図５）として形成され得る。
【図１】
2020500679.tif 000003
【図２】
2020500679.tif 000004
【図３Ａ】
2020500679.tif 000005
【図３Ｂ】
2020500679.tif 000006
【図４】
2020500679.tif 000007
【図５】
2020500679.tif 000008
【国際調査報告】
2020500679.tif 000009
2020500679.tif 000010
2020500679.tif 000011
2020500679.tif 000012
2020500679.tif 000013
2020500679.tif 000014